(57)【要約】【課題】フロントエンドサーバが、投稿を受け付けるフロントエンドサーバのうち新着の投稿を受け付けたフロントエンドサーバでなくても、投稿された新着の記事を参照し、その記事に受け付けた記事を追記できるようにするリレーサーバ及び方法を提供すること。【解決手段】リレーサーバ１０は、複数のフロントエンドサーバ４０のうちいずれか一のフロントエンドサーバ４０から投稿情報を受信し、受信した投稿情報から新着情報を作成し、ＦＩＦＯメモリ２０に格納する。そして、リレーサーバ１０は、作成した新着情報を、他の全てのフロントエンドサーバ４０に配信し、配信した新着情報を保有しないフロントエンドサーバ４０を特定し、ＦＩＦＯメモリ２０に記憶されている全ての新着情報を送信する。さらに、リレーサーバ１０は、ＦＩＦＯメモリ２０に新着情報が記憶されていない場合に、バックアップサーバ３０から全ての新着情報を取得する。【選択図】図１
2011070560.tif 000002
【特許請求の範囲】
【請求項１】
ユーザ端末から記事の投稿を受け付ける複数のフロントエンドサーバと通信可能に接続されたリレーサーバであって、
前記投稿を受け付けたことを示す新着情報を記憶するメモリと、
前記複数のフロントエンドサーバのうちいずれか一のフロントエンドサーバから投稿情報を受信する投稿情報受信手段と、
前記投稿情報受信手段が受信した投稿情報から前記新着情報を作成し、当該新着情報を前記メモリに格納する新着情報格納手段と、
前記新着情報格納手段が作成した前記新着情報を、前記複数のフロントエンドサーバのうち他の全てのフロントエンドサーバに配信するリレー手段と、
前記リレー手段が配信した前記新着情報を保有しないフロントエンドサーバを特定する特定手段と、
前記特定手段が特定したフロントエンドサーバに、前記メモリに記憶されている全ての前記新着情報を送信するレジューム手段と、
を備えるリレーサーバ。
【請求項２】
前記メモリに前記新着情報が記憶されていない場合に、前記メモリをバックアップするバックアップサーバに前記新着情報を要求し、当該バックアップサーバから全ての前記新着情報を受信し、前記メモリに格納する新着情報取得手段をさらに備え、
前記リレー手段は、前記新着情報格納手段が作成した前記新着情報を、前記複数のフロントエンドサーバのうち他の全てのフロントエンドサーバに配信すると共に、前記バックアップサーバに配信する請求項１に記載のリレーサーバ。
【請求項３】
前記メモリは、キャッシュメモリにＦＩＦＯメモリとして構成される請求項１又は２に記載のリレーサーバ。
【請求項４】
ユーザ端末から記事の投稿を受け付ける複数のフロントエンドサーバと通信可能に接続され、前記投稿を受け付けたことを示す新着情報を記憶するメモリを有するリレーサーバが、前記新着情報を配信する方法であって、
前記複数のフロントエンドサーバのうちいずれか一のフロントエンドサーバから投稿情報を受信するステップと、
受信した投稿情報から前記新着情報を作成し、当該新着情報を前記メモリに格納するステップと、
作成した前記新着情報を、前記複数のフロントエンドサーバのうち他の全てのフロントエンドサーバに配信するステップと、
配信した前記新着情報を保有しないフロントエンドサーバを特定するステップと、
特定したフロントエンドサーバに、前記メモリに記憶されている全ての前記新着情報を送信するステップと、
を備える方法。
【発明の詳細な説明】
【技術分野】
【０００１】
本発明は、情報を共有するリレーサーバ及び方法に関する。特に、新着記事情報を管理し、共有するリレーサーバ及び方法に関する。
【背景技術】
【０００２】
従来より、コンピュータネットワークにおいて、クライアント端末は、複数のクライアント端末間のサービスやファイル等の情報の共有を、コンピュータネットワークに接続されたサーバを介して行っている。
【０００３】
このように情報を共有するクライアント・サーバシステムとして、例えば、最も高品質の映像や音声、文字を伝送することが可能な同期型情報共有サーバを情報共有セッションに割り当てる技術を開示する特許文献１が知られている。
【０００４】
特許文献１は、同期型情報共有管理サーバが、情報共有セッションに参加する情報共有セッション端末に割り当てられているローカルエリアネットワークのアドレスを取得し、取得したアドレスに基づいて、複数の同期型情報共有サーバの一つを情報共有セッションを中継するための同期型情報共有サーバとして割り当てる、という技術を開示する。そして、クライアント端末は、割り当てられた同期型情報共有サーバを介してクライアント端末の間で情報を共有する。
【先行技術文献】
【特許文献】
【０００５】
【特許文献１】特開２００８−２２５６１９号公報
【発明の概要】
【発明が解決しようとする課題】
【０００６】
しかしながら、特許文献１では、割り当てられた同期型情報共有サーバからクライアント端末が情報を取得することにより、クライアント端末の間で情報を共有することが開示されているが、割り当てられた同期型情報共有サーバが異なるクライアント端末の間で情報を共有することについては、何ら開示されていない。すなわち、クライアント端末が記事やブログ情報等を受け付けて同期型情報共有サーバに格納すると、通常は、その同期型情報共有サーバに接続されているクライアント端末からしか参照したり追記したりすることはできない。
【０００７】
そこで、記事やブログ情報等の投稿を受け付けるサーバのうち、受け付けたサーバではないサーバに接続されているクライアント端末からでも、投稿された記事を参照したり、投稿された記事に追記したりすることができるようにするサーバが求められている。
【０００８】
本発明は、フロントエンドサーバが、投稿を受け付けるフロントエンドサーバのうち新着の投稿を受け付けたフロントエンドサーバでなくても、投稿された新着の記事を参照し、その記事に受け付けた記事を追記できるようにするリレーサーバ及び方法を提供することを目的とする。
【課題を解決するための手段】
【０００９】
本発明では、以下のような解決手段を提供する。
【００１０】
（１）  ユーザ端末から記事の投稿を受け付ける複数のフロントエンドサーバと通信可能に接続されたリレーサーバであって、前記投稿を受け付けたことを示す新着情報を記憶するメモリと、前記複数のフロントエンドサーバのうちいずれか一のフロントエンドサーバから投稿情報を受信する投稿情報受信手段と、前記投稿情報受信手段が受信した投稿情報から前記新着情報を作成し、当該新着情報を前記メモリに格納する新着情報格納手段と、前記新着情報格納手段が作成した前記新着情報を、前記複数のフロントエンドサーバのうち他の全てのフロントエンドサーバに配信するリレー手段と、前記リレー手段が配信した前記新着情報を保有しないフロントエンドサーバを特定する特定手段と、前記特定手段が特定したフロントエンドサーバに、前記メモリに記憶されている全ての前記新着情報を送信するレジューム手段と、を備えるリレーサーバ。
【００１１】
（１）の構成によれば、本発明に係るリレーサーバは、ユーザ端末から記事の投稿を受け付ける複数のフロントエンドサーバと通信可能に接続されたリレーサーバであって、投稿を受け付けたことを示す新着情報を記憶するメモリを有する。そして、本発明に係るリレーサーバは、複数のフロントエンドサーバのうちいずれか一のフロントエンドサーバから投稿情報を受信し、受信した投稿情報から新着情報を作成し、当該新着情報をメモリに格納し、作成した新着情報を、複数のフロントエンドサーバのうち他の全てのフロントエンドサーバに配信する。また、本発明に係るリレーサーバは、配信した新着情報を保有しないフロントエンドサーバを特定し、特定したフロントエンドサーバに、メモリに記憶されている全ての新着情報を送信する。
【００１２】
すなわち、本発明に係るリレーサーバは、複数のフロントエンドサーバのうちいずれか一のフロントエンドサーバによって送信された投稿情報から作成した新着情報をメモリに格納し、作成した新着情報を、他の全てのフロントエンドサーバに配信する。そして、本発明に係るリレーサーバは、配信した新着情報を保有しないフロントエンドサーバを特定し、メモリに記憶されている全ての新着情報を送信する。したがって、本発明に係るリレーサーバは、フロントエンドサーバに新着情報を配信し、新着情報を保有しないフロントエンドサーバを特定して、メモリに記憶されている全ての新着情報を送信するので、フロントエンドサーバ同士の新着情報についての同期を取ることができる。その結果、フロントエンドサーバは、新着の投稿を受け付けたフロントエンドサーバでなくても、配信された新着情報に基づいて、投稿された新着の記事を参照し、その記事に受け付けた記事を追記することができる。
【００１３】
（２）  前記メモリに前記新着情報が記憶されていない場合に、前記メモリをバックアップするバックアップサーバに前記新着情報を要求し、当該バックアップサーバから全ての前記新着情報を受信し、前記メモリに格納する新着情報取得手段をさらに備え、前記リレー手段は、前記新着情報格納手段が作成した前記新着情報を、前記複数のフロントエンドサーバのうち他の全てのフロントエンドサーバに配信すると共に、前記バックアップサーバに配信する（１）に記載のリレーサーバ。
【００１４】
（２）の構成によれば、（１）に記載のリレーサーバは、メモリに新着情報が記憶されていない場合に、メモリをバックアップするバックアップサーバに新着情報を要求し、当該バックアップサーバから全ての新着情報を受信し、メモリに格納する。そして、本発明に係るリレーサーバは、作成した新着情報を、複数のフロントエンドサーバのうち他の全てのフロントエンドサーバに配信すると共に、バックアップサーバに配信する。
【００１５】
すなわち、本発明に係るリレーサーバは、作成した新着情報を、複数のフロントエンドサーバのうち投稿情報を送信したフロントエンドサーバ以外の全てのフロントエンドサーバに配信すると共に、バックアップサーバに配信し、メモリに新着情報が記憶されていない場合に、バックアップサーバから全ての新着情報を取得し、メモリに格納する。したがって、本発明に係るリレーサーバは、メモリに新着情報が記憶されていない場合に、バックアップサーバから新着情報を取得することができるので、新着情報を確実に保有しているという信頼性を保持することができる。
【００１６】
（３）  前記メモリは、キャッシュメモリにＦＩＦＯメモリとして構成される（１）又は（２）に記載のリレーサーバ。
【００１７】
したがって、本発明に係るリレーサーバは、キャッシュメモリに新着情報を格納するので、さらに高速な処理を行うことができる。
【００１８】
（４）  ユーザ端末から記事の投稿を受け付ける複数のフロントエンドサーバと通信可能に接続され、前記投稿を受け付けたことを示す新着情報を記憶するメモリを有するリレーサーバが、前記新着情報を配信する方法であって、前記複数のフロントエンドサーバのうちいずれか一のフロントエンドサーバから投稿情報を受信するステップと、受信した投稿情報から前記新着情報を作成し、当該新着情報を前記メモリに格納するステップと、作成した前記新着情報を、前記複数のフロントエンドサーバのうち他の全てのフロントエンドサーバに配信するステップと、配信した前記新着情報を保有しないフロントエンドサーバを特定するステップと、特定したフロントエンドサーバに、前記メモリに記憶されている全ての前記新着情報を送信するステップと、を備える方法。
【００１９】
したがって、本発明に係る方法は、リレーサーバが、フロントエンドサーバに新着情報を配信し、新着情報を保有しないフロントエンドサーバを特定して、メモリに記憶されている全ての新着情報を送信するので、フロントエンドサーバ同士の新着情報についての同期を取ることができる。その結果、フロントエンドサーバは、新着の投稿を受け付けたフロントエンドサーバでなくても、配信された新着情報に基づいて、投稿された新着の記事を参照し、その記事に受け付けた記事を追記することができる。
【発明の効果】
【００２０】
本発明によれば、リレーサーバは、フロントエンドサーバに新着情報を配信し、新着情報を保有しないフロントエンドサーバを特定して、記憶されている全ての新着情報を送信し、フロントエンドサーバ同士の新着情報についての同期を取ることができる。その結果、フロントエンドサーバは、投稿を受け付けるフロントエンドサーバのうち新着の投稿を受け付けたフロントエンドサーバでなくても、配信された新着情報に基づいて、投稿された新着の記事を参照し、その記事に受け付けた記事を追記することができる。
【００２１】
さらに、本発明に係るリレーサーバは、新着情報を処理が高速なメモリに格納し、メモリに新着情報が記憶されていない場合に、バックアップサーバから全ての新着情報を取得することができる。したがって、本発明に係るリレーサーバは、新着情報を確実に保有しているという信頼性を保持することができる。
【図面の簡単な説明】
【００２２】
【図１】本発明の一実施形態に係るリレーサーバ１０の特徴を示すブロック図である。
【図２】本発明の一実施形態に係るリレーサーバ１０の機能構成を示すブロック図である。
【図３】本発明の一実施形態に係るリレーサーバ１０の新着情報のデータの例を示す図である。
【図４】本発明の一実施形態に係るリレーサーバ１０のメイン処理を示すフローチャートである。
【図５】図４に続く、メイン処理を示すフローチャートである。
【発明を実施するための形態】
【００２３】
以下、本発明の実施形態について図を参照しながら説明する。
【００２４】
本実施形態は、コンピュータ及びその周辺装置に適用される。本実施形態における各部は、コンピュータ及びその周辺装置が備えるハードウェア並びに該ハードウェアを制御するソフトウェアによって構成される。
【００２５】
上記ハードウェアには、制御部としてのＣＰＵ（Ｃｅｎｔｒａｌ  Ｐｒｏｃｅｓｓｉｎｇ  Ｕｎｉｔ）の他、記憶部、通信装置、表示装置及び入力装置が含まれる。記憶部としては、例えば、メモリ（ＲＡＭ：Ｒａｎｄｏｍ  Ａｃｃｅｓｓ  Ｍｅｍｏｒｙ、ＲＯＭ：Ｒｅａｄ  Ｏｎｌｙ  Ｍｅｍｏｒｙ等）、ハードディスクドライブ（ＨＤＤ：Ｈａｒｄ  Ｄｉｓｋ  Ｄｒｉｖｅ）及び光ディスク（ＣＤ：Ｃｏｍｐａｃｔ  Ｄｉｓｋ、ＤＶＤ：Ｄｉｇｉｔａｌ  Ｖｅｒｓａｔｉｌｅ  Ｄｉｓｋ等）ドライブが挙げられる。通信装置としては、例えば、各種有線及び無線インターフェース装置が挙げられる。表示装置としては、例えば、液晶ディスプレイやプラズマディスプレイ等の各種ディスプレイが挙げられる。入力装置としては、例えば、キーボード及びポインティング・デバイス（マウス、トラッキングボール等）が挙げられる。
【００２６】
上記ソフトウェアには、上記ハードウェアを制御するコンピュータ・プログラムやデータが含まれる。コンピュータ・プログラムやデータは、記憶部により記憶され、制御部により適宜実行、参照される。また、コンピュータ・プログラムやデータは、通信回線を介して配布されることも可能であり、ＣＤ−ＲＯＭ等のコンピュータ可読媒体に記録して配布されることも可能である。
【００２７】
図１は、本発明の一実施形態に係るリレーサーバ１０の特徴を示すブロック図である。リレーサーバ１０は、ユーザから記事の投稿を受け付ける複数のフロントエンドサーバ４０ａ，４０ｂ・・・（以下、複数のフロントエンドサーバを区別しない場合は「フロントエンドサーバ４０」とする）と通信可能に接続される。そして、リレーサーバ１０は、メモリとしてＦＩＦＯ（Ｆｉｒｓｔ  Ｉｎ  Ｆｉｒｓｔ  Ｏｕｔ）メモリ２０と、投稿情報受信手段として投稿情報受信部１１と、新着情報格納手段として新着情報格納部１２と、リレー手段としてリレー部１３と、特定手段として特定部１４と、レジューム手段としてレジューム部１５と、を備える。
【００２８】
ＦＩＦＯメモリ２０は、先入れ先出しのメモリであって、新着情報を格納された順に記憶する。すなわち、格納された新着情報のデータ量が、ＦＩＦＯメモリ２０の容量に達すると、ＦＩＦＯメモリ２０は、記憶している中で最初に記憶した１件の新着情報を消去して、新しく格納された１件を記憶する。例えば、ＦＩＦＯメモリ２０が新着情報１００件を記憶できるとすると、ＦＩＦＯメモリ２０は、格納された１件目から１００件目までの新着情報を順に記憶し、１０１件目が格納されると、最初に格納された１件目を消去し、２件目から１０１件目までを記憶する。さらに、ＦＩＦＯメモリ２０は、例えば、ＲＡＭやキャッシュメモリ上に構成され、フラッシュメモリ等の補助記憶装置に比較して高速な読み出しや書き込みが可能である。
【００２９】
投稿情報受信部１１は、複数のフロントエンドサーバ４０のうちいずれか一のフロントエンドサーバ４０から投稿情報を受信する。すなわち、フロントエンドサーバ４０においてユーザ端末（図示せず）から投稿情報を受け付け、投稿情報受信部１１は、受け付けた一のフロントエンドサーバ４０から、投稿情報を受信する。例えば、ブログやＳＮＳ（Ｓｏｃｉａｌ  Ｎｅｔｗｏｒｋｉｎｇ  Ｓｅｒｖｉｃｅ）のフロントエンドサーバ４０は、ユーザ端末から記事の投稿を受け付け、受け付けた投稿記事データをバックエンドサーバ（図示せず）に格納させる。そして、フロントエンドサーバ４０は、バックエンドサーバの情報や投稿したユーザの情報を含む投稿情報を、投稿情報受信部１１に送信する。
【００３０】
新着情報格納部１２は、投稿情報受信部１１が受信した投稿情報から新着情報を作成し、ＦＩＦＯメモリ２０に格納する。作成された新着情報は、ユーザ情報と、記事データ情報とを含む。ユーザ情報は、例えば、ユーザＩＤを含む。記事データ情報は、例えば、投稿時刻と、投稿を受け付けたフロントエンドサーバ４０の情報と、記事識別情報と、記事データを格納したバックエンドサーバの情報と、を含んでいる。
【００３１】
リレー部１３は、新着情報格納部１２が作成した新着情報を、複数のフロントエンドサーバ４０のうち他の全てのフロントエンドサーバ４０に配信する。すなわち、リレー部１３は、複数のフロントエンドサーバ４０のうち投稿情報を送信したフロントエンドサーバ４０以外の全てのフロントエンドサーバ４０に新着情報を配信する。フロントエンドサーバ４０は、配信された新着情報をメモリに格納することにより、他のフロントエンドサーバ４０で投稿された記事についての新着情報を、サーバ（例えば、プロキシサーバ）に問い合わせることなく、フロントエンドサーバ４０内で取得することができる。
【００３２】
特定部１４は、リレー部１３が配信した新着情報を保有しないフロントエンドサーバ４０を特定する。例えば、特定部１４は、再起動等によりメモリに保持していた新着情報を消失したフロントエンドサーバ４０から、新着情報を要求する要求信号を受信することにより、当該フロントエンドサーバ４０を、新着情報を保有しないフロントエンドサーバ４０として特定する。さらに、リレー部１３がフロントエンドサーバ４０に新着情報を配信した時に当該フロントエンドサーバ４０から、新着情報を保有しないというエラー情報を受信した場合に、特定部１４は、エラー情報を送信したフロントエンドサーバ４０を、新着情報を保有しないフロントエンドサーバ４０として特定する。
【００３３】
レジューム部１５は、特定部１４が特定したフロントエンドサーバ４０に、ＦＩＦＯメモリ２０に記憶されている全ての新着情報を送信する。例えば、新着情報の送信は、ＦＩＦＯメモリ２０に記憶された順に順次行われるとしてもよいし、新着情報の記憶の順番を維持して、一括して行われるとしてもよい。
【００３４】
図２は、本発明の一実施形態に係るリレーサーバ１０の機能構成を示すブロック図である。リレーサーバ１０は、図１の構成に加えて、新着情報取得手段として新着情報取得部１６を備える。リレーサーバ１０には、バックアップサーバ３０が接続されている。
【００３５】
バックアップサーバ３０は、メモリをバックアップするサーバであって、リレーサーバ１０と同一の新着情報を、例えば、メモリに格納する。
【００３６】
リレー部１３は、上述の機能に加えて、バックアップサーバ３０に配信する。すなわち、リレー部１３は、新着情報格納部１２が作成した新着情報を、複数のフロントエンドサーバ４０のうち、投稿情報を送信したフロントエンドサーバ４０以外の全てのフロントエンドサーバ４０に配信すると共に、バックアップサーバ３０に配信する。
【００３７】
新着情報取得部１６は、ＦＩＦＯメモリ２０に新着情報が記憶されていない場合に、バックアップサーバ３０に新着情報を要求し、バックアップサーバ３０から全ての新着情報を受信し、ＦＩＦＯメモリ２０に格納する。例えば、リレーサーバ１０自身が再起動し、ＦＩＦＯメモリ２０の新着情報を消去した場合に、新着情報取得部１６は、バックアップサーバ３０から、バックアップサーバ３０が保有する全ての新着情報を受信し、当該新着情報をＦＩＦＯメモリ２０に格納する。そして、新着情報取得部１６がバックアップサーバ３０から全ての新着情報を取得した後に、新着情報格納部１２は、投稿情報から作成した新着情報をＦＩＦＯメモリ２０に格納する。
【００３８】
フロントエンドサーバ４０は、投稿を受け付けたフロントエンドサーバ４０の情報及び記事識別情報と、削除要求とを、投稿情報としてリレーサーバ１０に送信することができる。この送信により、削除要求を受信したリレーサーバ１０は、ＦＩＦＯメモリ２０に格納している新着情報のうち、削除要求された新着情報のみを削除することが可能である。そして、リレーサーバ１０によって配信される新着情報の削除要求によって、配信されたフロントエンドサーバ４０及びバックアップサーバ３０は、メモリに保有している新着情報のうち、削除要求された新着情報のみを削除する。
【００３９】
図３は、本発明の一実施形態に係るリレーサーバ１０の新着情報のデータの例を示す図である。
【００４０】
新着情報のデータは、ユーザ情報と、記事データ情報とから構成される。ユーザ情報は、投稿したユーザの識別情報であるユーザＩＤから構成される。記事データ情報は、ユーザが投稿した時刻である投稿時刻と、投稿を受け付けたフロントエンドサーバ４０の識別情報である受付サーバＩＤと、記事識別情報である記事ＩＤと、投稿された記事データを記憶するバックエンドサーバの識別情報である記事データサーバＩＤとから構成される。ユーザ情報は、ユーザＩＤ以外にパスワード等のユーザを認証する情報を含むとしてもよい。また、記事データ情報は、投稿された記事のタイトルも含むとしてもよい。例えば、新着情報を配信されたフロントエンドサーバ４０は、新着の投稿を受け付けたフロントエンドサーバ４０でなくても、受付サーバＩＤ及び記事ＩＤと、記事データサーバＩＤとに基づいて、投稿された新着の記事を参照し、その記事に受け付けた記事を追記することができる。
【００４１】
図４は、本発明の一実施形態に係るリレーサーバ１０のメイン処理を示すフローチャートであり、図５は、図４に続く、メイン処理を示すフローチャートである。なお、本処理は、プログラム開始指令により処理を開始し、プログラム終了指令により処理を終了する。
【００４２】
図４のステップＳ１０１において、ＣＰＵは、ＦＩＦＯメモリ２０に新着情報が記憶されているか否かを判断する。この判断がＹＥＳの場合、ＣＰＵは処理をステップＳ１０３に移し、ＮＯの場合、ＣＰＵは処理をステップＳ１０２に移す。
【００４３】
ステップＳ１０２において、ＣＰＵは、バックアップサーバ３０から新着情報を取得し、格納する。より具体的には、ＣＰＵは、バックアップサーバ３０に新着情報を要求するコマンドを送信し、バックアップサーバ３０から、バックアップサーバ３０が保有する全ての新着情報を受信し、受信した新着情報をＦＩＦＯメモリ２０に格納する。その後、ＣＰＵは、処理をステップＳ１０３に移す。
【００４４】
ステップＳ１０３において、ＣＰＵは、フロントエンドサーバ４０から投稿情報を受信か否かを判断する。すなわち、ＣＰＵは、フロントエンドサーバ４０から受信したデータを判断し、投稿情報を受信したか否かを判断する。この判断がＹＥＳの場合、ＣＰＵは処理を図５のステップＳ１０６に移し、ＮＯの場合、ＣＰＵは処理をステップＳ１０４に移す。
【００４５】
ステップＳ１０４において、ＣＰＵは、新着情報の要求を受信か否かを判断する。すなわち、ＣＰＵは、フロントエンドサーバ４０から受信したデータを判断し、新着情報を要求する要求信号を受信したか否かを判断する。この判断がＹＥＳの場合、ＣＰＵは処理をステップＳ１０５に移し、ＮＯの場合、ＣＰＵは処理をステップＳ１０３に移す。
【００４６】
ステップＳ１０５において、ＣＰＵは、ＦＩＦＯメモリ２０の全ての新着情報をフロントエンドサーバ４０に送信する。より具体的には、ＣＰＵは、ＦＩＦＯメモリ２０に記憶されている全ての新着情報を、ＦＩＦＯメモリ２０に記憶されている順に順次、フロントエンドサーバ４０に送信する。その後、ＣＰＵは、処理をステップＳ１０３に移す。
【００４７】
図５のステップＳ１０６において、ＣＰＵは、投稿情報を受信する。より具体的には、ＣＰＵは、ユーザの端末から投稿を受け付けたフロントエンドサーバ４０から、投稿したユーザのユーザＩＤと、投稿時刻と、受け付けたフロントエンドサーバ４０の受付サーバＩＤと、受け付けた記事の記事ＩＤと、受け付けた記事を格納したバックエンドサーバの記事データサーバＩＤとを含む投稿情報を受信する。その後、ＣＰＵは、処理をステップＳ１０７に移す。
【００４８】
ステップＳ１０７において、ＣＰＵは、新着情報を作成し、ＦＩＦＯメモリ２０に格納する。より具体的には、ＣＰＵは、投稿情報に基づいて、ユーザＩＤと、投稿時刻と、受付サーバＩＤと、記事ＩＤと、記事データサーバＩＤとを含む新着情報を作成し、ＦＩＦＯメモリ２０に格納する。ＦＩＦＯメモリ２０は、新着記事情報を格納された順に記憶する。記憶容量を超える場合には、ＦＩＦＯメモリ２０は、記憶した中で最初の新着情報を消去し、最新の新着情報を最後に記憶する。新着情報が削除要求の場合には、ＣＰＵは、受付サーバＩＤ及び記事ＩＤによって指定された新着情報のみ削除する。その後、ＣＰＵは、処理をステップＳ１０８に移す。
【００４９】
ステップＳ１０８において、ＣＰＵは、新着情報を他の全てのフロントエンドサーバ４０に配信すると共に、バックアップサーバ３０に配信する。より具体的には、ＣＰＵは、作成した新着情報を、フロントエンドサーバ４０のうち投稿情報を送信したフロントエンドサーバ４０以外の全てのフロントエンドサーバ４０に配信すると共に、作成した新着情報を、バックアップサーバ３０に配信する。投稿情報に基づいて作成した新着情報が削除要求の場合には、同様に、ＣＰＵは、新着情報の削除要求を、削除要求を送信したフロントエンドサーバ４０以外の全てのフロントエンドサーバ４０に配信すると共に、バックアップサーバ３０に配信する。その後、ＣＰＵは、処理をステップＳ１０９に移す。
【００５０】
ステップＳ１０９において、ＣＰＵは、フロントエンドサーバ４０からエラー情報を受信か否かを判断する。より具体的には、ＣＰＵは、新着情報を送信されたフロントエンドサーバ４０から、保有する新着情報が０件であることを示すデータを受信したか否かを判断する。この判断がＹＥＳの場合、ＣＰＵは処理をステップＳ１１０に移し、ＮＯの場合、ＣＰＵは処理を図４のステップＳ１０３に移す。
【００５１】
ステップＳ１１０において、ＣＰＵは、ＦＩＦＯメモリ２０の全ての新着情報をフロントエンドサーバ４０に送信する。より具体的には、ＣＰＵは、ＦＩＦＯメモリ２０に記憶されている全ての新着情報を、ＦＩＦＯメモリ２０に記憶された順に順次、フロントエンドサーバ４０に送信する。その後、ＣＰＵは、処理を図４のステップＳ１０３に移す。
【００５２】
本実施形態によれば、リレーサーバ１０は、投稿を受け付けたことを示す新着情報を記憶するＦＩＦＯメモリ２０を有する。そして、リレーサーバ１０は、複数のフロントエンドサーバ４０のうちいずれか一のフロントエンドサーバ４０から投稿情報を受信し、受信した投稿情報から新着情報を作成し、当該新着情報をＦＩＦＯメモリ２０に格納し、作成した新着情報を、複数のフロントエンドサーバ４０のうち他の全てのフロントエンドサーバ４０に配信すると共に、バックアップサーバ３０に配信する。また、リレーサーバ１０は、配信した新着情報を保有しないフロントエンドサーバ４０を特定し、特定したフロントエンドサーバ４０に、ＦＩＦＯメモリ２０に記憶されている全ての新着情報を送信する。したがって、リレーサーバ１０は、フロントエンドサーバ４０に新着情報を配信し、新着情報を保有しないフロントエンドサーバ４０には、記憶されている全ての新着情報を送信するので、フロントエンドサーバ４０同士の新着情報についての同期を取ることができる。その結果、フロントエンドサーバ４０は、新着の投稿を受け付けたフロントエンドサーバ４０でなくても、配信された新着情報に基づいて、投稿された新着の記事を参照し、その記事に受け付けた記事を追記することができる。さらに、リレーサーバ１０は、ＦＩＦＯメモリ２０に新着情報が記憶されていない場合に、バックアップサーバ３０から、バックアップサーバ３０が保有する全ての新着情報を取得することができる。よって、リレーサーバ１０は、新着情報を確実に保有しているという信頼性を保持することができる。
【００５３】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【符号の説明】
【００５４】
１０    リレーサーバ
１１    投稿情報受信部
１２    新着情報格納部
１３    リレー部
１４    特定部
１５    レジューム部
１６    新着情報取得部
２０    ＦＩＦＯメモリ
３０    バックアップサーバ
４０    フロントエンドサーバ
【図１】
2011070560.tif 000003
【図２】
2011070560.tif 000004
【図３】
2011070560.tif 000005
【図４】
2011070560.tif 000006
【図５】
2011070560.tif 000007